(57)【要約】      （修正有）【課題】  軽量コンパクトな本体と多量な錠剤カプセルでも敏速かつ確実また衛生的にＰＴＰ包装からを取り出すことができ、安価で容易に作業することができるようにすることにある。【解決手段】  錠剤やカプセルをＰＴＰヒートから押し出す棒形状物１３とＰＴＰヒートを受け止め錠剤やカプセルを押し出し収納する上面部に穴１２を有する容器１１を特徴とする錠剤カプセル取り出し装置であって、前記穴あき容器の穴１２はＰＴＰヒートの錠剤やカプセルの入っている部分両極端の長さより長いことを特徴とする。【選択図】図１
2006212389.tif 000002
【特許請求の範囲】
【請求項１】
錠剤カプセルを押し出す棒形状物と、ＰＴＰヒートを受け止め錠剤カプセルを押し出し収納する上面部に穴を有する穴あき容器を特徴とする錠剤カプセル取り出し装置。
【請求項２】
前記穴あき容器の穴は、ＰＴＰヒートの錠剤やカプセルの入っている両極端の長さより長いことを特徴とする錠剤カプセル取り出し装置。
【発明の詳細な説明】
【技術分野】
【０００１】    本発明は、錠剤カプセルなどをＰＴＰ包装から取り出しに関する。
【背景技術】
【０００２】  従来、調剤薬局や病院薬局などで一包化調剤などを行う際、多量の錠剤やカプセルをＰＴＰ包装から敏速に取り出すには、手作業か、大型の機械が使用されている。しかしながら、手作業は時間がかかり指の力の弱い方は困難な作業となる。大型機械の導入は高額の設備投資が必要になる上、限られたスペースの中では場所をとってしまう。【０００３】  既に出されている小型錠剤取り出し器は、普段薬を内服されている患者さんを想定し少量の錠剤を衛生的に取り出すことが出来るが、多量の錠剤、カプセルをＰＴＰ包装から敏速に取り出す機能を有する訳ではない。【０００４】  なお、本願発明に関連する公知技術として次の特許文献１及び非特許文献１を挙げることができる。【０００５】
【特許文献１】公開番号  特許公開平  ６−１２５９６７
【非特許文献１】ｈｔｔｐ：／／ｙｓ．ｙｕｙａｍａ．ｃｏ．ｊｐ／ｐｒｄｃｔ．ｈｔｍｌ  全自動ＰＴＰ除包機
【発明の開示】
【発明が解決しようとする課題】
【０００６】  上述の如く、多量の錠剤カプセルをＰＴＰ包装から敏速に取り出すには手作業か、機械が使用されている。手作業は手間と時間がかかる上、ヒートが頑丈なため指の力が必要で握力の弱い方は困難な作業になる。機械の導入は高いコストがかかる上、場所を取ってしまう。従来技術に係る錠剤カプセル取り出し装置では、多量の錠剤やカプセルを簡単、敏速かつ衛生的に取り出す機能を有し小型でコスト負担が少ないなどのすべての条件を有する訳ではない。【０００７】  このため、少人数で多くの処方をさばいている薬局などは多量の錠剤カプセルを取り出す作業が困難なものになっているか、高い設備投資をして機械を導入しているのが現状である。【０００８】  本発明は、このような点を留意し成されたものであり、その目的は、軽量コンパクトな本体とＰＴＰヒートから錠剤カプセルを押し出す棒に工夫をし、多量な錠剤カプセルでも敏速かつ確実また衛生的にＰＴＰ包装からを取り出すことができ安価で容易に作業することができるようにすることにある。
【課題を解決するための手段】
【０００９】  上述の目的を達成する本発明の錠剤カプセル取り出し装置は、錠剤やカプセルをＰＴＰヒートから押し出す棒形状物とＰＴＰヒートを受け止め錠剤やカプセルを押し出し収納する上面部に穴を有する容器を特徴とする錠剤カプセル取り出し装置であって、前記穴あき容器の穴はＰＴＰヒートの錠剤やカプセルの入っている部分両極端の長さより長いことを特徴とする。
【発明の効果】
【００１０】  以上説明したように本発明によれば、手で握ることの出来る棒形状の物と穴を有する容器にしたので、容器にＰＴＰヒートを乗せ棒形状の物でＰＴＰヒートに入っている錠剤やカプセル部分を上から押すだけで取り出す事ができ、容器に収納することが出来る。これによって指の力が弱い方でも容易に取り出す事が可能になる上、安価で作ることが出来る。手が直接触れないため衛生的である。【００１１】  容器の穴はＰＴＰヒートの錠剤やカプセルの入っている部分両極端の長さより長いことにより、ＰＴＰヒートを移動させることなく棒形状の物で次々に押し出すことを可能にし、多量の錠剤やカプセルを敏速に取り出し収納するには極めて有効である。
【発明を実施するための最良の形態】
【００１２】  以下、本発明の実施形態を図面に基づき詳細に説明する。【００１３】  図１〜図３は本発明の実施の形態に係り、図１は外観斜視図、図２は図１にＰＴＰヒートをセットした中央部縦断面図、図３は容器穴の大きさを変化させ取り出し口を開けた状態図である。【００１４】  図１に示すように、本錠剤カプセル取り出し装置１０は、上面部に穴１２を有する容器１１と錠剤やカプセルを押し出す棒形状の物１３で構成されている。【００１５】  容器１１の穴１２の長さはＰＴＰヒートの錠剤やカプセルが入っている両極端の長さ以上に開けられ一列分入る大きさで、ＰＴＰ包装一列連続して取り出せる構造を有している。穴１２は、ＰＴＰヒートの錠剤やカプセルの入っていないシールされている部分が容器になるべく接地できるよう穴の長さは容器１１の長さより短く、幅は図２の様に、穴１２の両側面にＰＴＰヒート１８が接地できる幅にし、錠剤やカプセルを押し出す際ＰＴＰヒート１８が穴の中に入るのを防止すると共に錠剤、カプセルに最も力がかかり押し出しやすい状態にする。これによって敏速に錠剤やカプセルを取り出すことが可能となる。【００１６】  図１に示すように、錠剤、カプセルを押し出す棒１３の形状として筆記装具などと同等の長さや太さを持つ握りやすく力が入りやすい形状が望ましい。棒先１６は円錐形で先端は丸みを持たせＰＴＰヒートが破れないようにしている。棒先１６先端の面積を小さくし錠剤やカプセルに圧力が集中し弱い力でも押し出せる形状としている。【００１７】  図１の容器１１にＰＴＰ包装内の錠剤やカプセルが一列分、穴１２の上にくるようにそして図２の位置になる様ＰＴＰヒートをセットし、棒形状の物１３で一列連続して押し取り出す。ＰＴＰ包装から取り出された錠剤やカプセルは容器内に収納される。【００１８】  図１、図３に示すように、容器１１は収納された錠剤やカプセルを容器から取り出す取り出し口１４が設けられている。取り出し口１４は引き出し式で、引き出し自体を容器から取り外しできるようにすることで容器内に錠剤やカプセルの取り残しを防ぎ、容易に錠剤やカプセルの確認ができ、別の容器に移し替えることを可能にしている。【００１９】  ＰＴＰ包装は様々な大きさがあり、すべて同一規格ではない。その場合でも図３に示すように、容器１１の上面部１７を一部スライドさせ可動式にすることによって、穴の長さや幅を自由に変えられるようにし、ＰＴＰヒートの錠剤やカプセルの入っている両極端の長さを確保すると共に、図３の状態を可能とするため一列連続して取り出すことができる。
【実施例】
【００２０】  容器１１は例えば、一般的ＰＴＰヒートに対応できるＷ１４０ｍｍ×Ｄ１００ｍｍ×Ｈ５０ｍｍの寸法の直方体で、上面部には長さ１００ｍｍ×幅１０ｍｍの穴を有する。これにより多くのＰＴＰ包装に対応しコンパクトにできる。上面部は耐久性を向上させる為、金属などの硬い素材を用いるのが最適である。押し出す棒１３は、ボールペンの筆先の出ていない形状のものを使用しても良い。【００２１】  以上、本発明の実施の形態及び実施例を説明したが、本発明の範囲はこれに限定されるものではない。例えば、取り出し口の位置や数、ＰＴＰ包装の種類による容器有する穴の長さや幅の変化方法や、使用するＰＴＰ包装の大きさのばらつきが少なければ穴を最良の大きさで固定したり、容器の穴の数を複数にしたりすることは状況に応じて適宜選択されるものである。【００２２】  また、棒形状の物は一つだけでなく、錠剤やカプセルの形状や硬さに応じて押し出しやすい形を複数使うようにしてもよい。例えば、錠剤用、軟質カプセル用など使い分けるようにすることも可能である。【００２３】  さらに実施例では容器部を金属で説明しているが、材質は金属に限られるものでなく合成樹脂等、任意の材質が使用できる。押し出す棒もボールペン形状に限らず、容器、棒共に大きさや形状は任意に選ぶことができる。
【産業上の使用可能性】
【００２４】  本発明は医療機器として病院薬局や調剤薬局などの医療分野で使用することができる。
【図面の簡単な説明】
【００２５】
【図１】  本発明の実施形態に係る錠剤カプセル取り出し装置の外観斜視図である。
【図２】  図１にＰＴＰヒートをセットした中央部断面図である。
【図３】  図１から容器穴の大きさを変化させ取り出し口を開けた状態図である。
【符号の説明】
【００２６】  １０        錠剤カプセル取り出し装置
１１        装置容器
１２        容器に有する穴
１３        押し出し棒
【図１】
2006212389.tif 000003
【図２】
2006212389.tif 000004
【図３】
2006212389.tif 000005